(57)【特許請求の範囲】
【請求項１】
紫外光を出射する固体光源と、回転軸の周りに回転可能な反射型蛍光回転体とを備え、該反射型蛍光回転体は、前記固体光源からの紫外光の入射により互いに異なった色の蛍光を発光する蛍光体層をそれぞれ備えた複数の蛍光体領域を有している光源装置において、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記複数の蛍光体領域に対応する前記円弧上の長さの比率が前記半径に依存して変化するように前記複数の蛍光体領域が配置されており、さらに、前記円錐形状の反射型蛍光回転体と前記固体光源との位置関係を可変にする可変手段が設けられていることを特徴とする光源装置。
【請求項２】
前記反射型蛍光回転体は、前記複数の蛍光体領域を区分する境界線の少なくとも１本が曲線状になっていることを特徴とする請求項１に記載の光源装置。
【請求項３】
前記反射型蛍光回転体は、前記複数の蛍光体領域のうち、最も短波長の蛍光を発する蛍光体領域と最も長波長の蛍光を発する蛍光体領域とを区分する境界線が曲線状になっていることを特徴とする請求項１または請求項２に記載の光源装置。
【請求項４】
前記反射型蛍光回転体は、紫外光の入射によって赤色の蛍光を発する蛍光体領域と青色の蛍光を発する蛍光体領域とを区分する境界線が曲線状になっていることを特徴とする請求項１乃至請求項３のいずれか一項に記載の光源装置。
【請求項５】
可視光を出射する固体光源と、回転軸の周りに回転可能な反射型蛍光回転体とを備え、該反射型蛍光回転体は、前記固体光源からの可視光により励起され該固体光源からの可視光の波長よりも長波長の蛍光を発光する蛍光体層を備えた少なくとも１つの蛍光体領域、および、蛍光体層が設けられていない非蛍光体領域の各領域を、互いに分割された領域として有しており、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記各領域に対応する前記円弧上の長さの比率が前記半径に依存して変化するように前記各領域が配置されており、さらに、前記円錐形状の反射型蛍光回転体と前記固体光源との位置関係を可変にする可変手段が設けられていることを特徴とする光源装置。
【請求項６】
前記反射型蛍光回転体は、前記少なくとも１つの蛍光体領域および非蛍光体領域の各領域を区分する境界線の少なくとも１本が曲線状になっていることを特徴とする請求項５に記載の光源装置。
【請求項７】
前記反射型蛍光回転体は、前記少なくとも１つの蛍光体領域のうち最も長波長の蛍光を発する蛍光体領域と前記非蛍光体領域とを区分する境界線が曲線状になっていることを特徴とする請求項５または請求項６に記載の光源装置。
【請求項８】
前記円錐形状の反射型蛍光回転体の前記蛍光体層が配置される基板には、反射面が設けられていることを特徴とする請求項１乃至請求項７のいずれか一項に記載の光源装置。
【請求項９】
前記固体光源は固定されており、この場合、前記可変手段は、前記円錐形状の反射型蛍光回転体を該円錐形状の反射型蛍光回転体の回転軸の方向に移動させる移動手段となっていることを特徴とする請求項１乃至請求項８のいずれか一項に記載の光源装置。
【請求項１０】
請求項１乃至請求項９のいずれか一項に記載の光源装置が用いられていることを特徴とする照明装置。
【発明の詳細な説明】
【技術分野】
【０００１】
本発明は、光源装置および照明装置に関する。
【背景技術】
【０００２】
近年、ＬＥＤ等の固体光源を用いた照明装置が用いられており、その特性を活かして、赤、緑、青の３種類のＬＥＤを用い各色の発光強度をコントロールすることにより照明色を変化させることができる照明光源および照明装置が開発されている（特許文献１）。この場合、３種類のＬＥＤを同じ場所に設置することは物理的に不可能であるため、それぞれ距離を置いて配置する。従って、例えばスポットライトのようにレンズを用いて配光をコントロールするような照明装置においては、光源の位置の違い、つまり光軸の違いにより、照射領域端部で色割れが発生してしまう。
【０００３】
この問題を解決するため、例えば特許文献２に示すような蛍光体層を所定の領域に配置した円盤状回転体（以下、蛍光回転体と称す）を利用した光源装置が、主にプロジェクターの光源として開発されている。図１には、この種の蛍光回転体９１が示されている。図１を参照すると、蛍光回転体９１は、透明な基板（例えば石英ガラス基板）上に紫外光を照射すると赤色または緑色または青色の蛍光を発光するそれぞれの蛍光体層９２ａ，９２ｂ，９２ｃが３つの分割された領域として配置されており、蛍光回転体９１の回転軸（回転中心）を通って半径方向に延びる直線９３ａ，９３ｂ，９３ｃにより３色の蛍光体層９２ａ，９２ｂ，９２ｃの面積がほぼ等しくなるように分割配置されている。
【０００４】
図２は図１の蛍光回転体９１を用いた光源装置を示す図である。図２を参照すると、この光源装置は、図１の蛍光回転体９１をモーター９４で回転させ、固体光源（例えばレーザーダイオード光源）９５の前に配置することにより、光源９５の光軸上で励起された各蛍光体層９２ａ，９２ｂ，９２ｃが各々の色で順次発光することになる。すなわち、赤緑青の光が順次発光することになるが、発光周期が早くなると、つまり蛍光回転体の回転数を上げると（例えば３６００ｒｐｍにすると）、それぞれの発光色を認識できなくなり白色光として視認できるようになる。
【０００５】
そして、この光源装置では、蛍光回転体９１は回転するものの、発光点は一点であり、しかも、各色が同じ場所で発光するため、前記の照明領域端部での色割れが発生しない照明装置を得ることができる。
【先行技術文献】
【特許文献】
【０００６】
【特許文献１】特開２００４−０５５３６０号公報
【特許文献２】特開２００４−３４１１０５号公報
【発明の概要】
【発明が解決しようとする課題】
【０００７】
しかしながら、図１に示すような蛍光回転体９１を用いる場合には、色割れを防止することはできるものの、照明色を変化させることができない。
【０００８】
照明色を変化させる方法として、蛍光回転体の回転速度を色毎に制御することも考えられるが、モーターにより高速で回転している蛍光回転体の速度を制御することは困難であり、たとえできたとしても、高価なモーターと複雑な制御系が必要になる。
【０００９】
本発明は、蛍光回転体を用いて色割れを防止することができ、かつ、蛍光回転体を用いた場合でも、複雑な制御系などを必要とせずに、簡単に照明色を変化させることの可能な光源装置および照明装置を提供することを目的としている。
【課題を解決するための手段】
【００１０】
上記目的を達成するために、請求項１記載の発明は、紫外光を出射する固体光源と、回転軸の周りに回転可能な反射型蛍光回転体とを備え、該反射型蛍光回転体は、前記固体光源からの紫外光の入射により互いに異なった色の蛍光を発光する蛍光体層をそれぞれ備えた複数の蛍光体領域を有している光源装置において、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記複数の蛍光体領域に対応する前記円弧上の長さの比率が前記半径に依存して変化するように前記複数の蛍光体領域が配置されており、さらに、前記円錐形状の反射型蛍光回転体と前記固体光源との位置関係を可変にする可変手段が設けられていることを特徴としている。
【００１１】
また、請求項２記載の発明は、前記反射型蛍光回転体は、前記複数の蛍光体領域を区分する境界線の少なくとも１本が曲線状になっていることを特徴とする請求項１に記載の光源装置である。
【００１２】
また、請求項３記載の発明は、前記反射型蛍光回転体は、前記複数の蛍光体領域のうち、最も短波長の蛍光を発する蛍光体領域と最も長波長の蛍光を発する蛍光体領域とを区分する境界線が曲線状になっていることを特徴とする請求項１または請求項２に記載の光源装置である。
【００１３】
また、請求項４記載の発明は、前記反射型蛍光回転体は、紫外光の入射によって赤色の蛍光を発する蛍光体領域と青色の蛍光を発する蛍光体領域とを区分する境界線が曲線状になっていることを特徴とする請求項１乃至請求項３のいずれか一項に記載の光源装置である。
【００１４】
また、請求項５記載の発明は、可視光を出射する固体光源と、回転軸の周りに回転可能な反射型蛍光回転体とを備え、該反射型蛍光回転体は、前記固体光源からの可視光により励起され該固体光源からの可視光の波長よりも長波長の蛍光を発光する蛍光体層を備えた少なくとも１つの蛍光体領域、および、蛍光体層が設けられていない非蛍光体領域の各領域を、互いに分割された領域として有しており、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記各領域に対応する前記円弧上の長さの比率が前記半径に依存して変化するように前記各領域が配置されており、さらに、前記円錐形状の反射型蛍光回転体と前記固体光源との位置関係を可変にする可変手段が設けられていることを特徴とする光源装置である。
【００１５】
また、請求項６記載の発明は、前記反射型蛍光回転体は、前記少なくとも１つの蛍光体領域および非蛍光体領域の各領域を区分する境界線の少なくとも１本が曲線状になっていることを特徴とする請求項５に記載の光源装置である。
【００１６】
また、請求項７記載の発明は、前記反射型蛍光回転体は、前記少なくとも１つの蛍光体領域のうち最も長波長の蛍光を発する蛍光体領域と前記非蛍光体領域とを区分する境界線が曲線状になっていることを特徴とする請求項５または請求項６に記載の光源装置である。
【００１７】
また、請求項８記載の発明は、前記円錐形状の反射型蛍光回転体の前記蛍光体層が配置される基板には、反射面が設けられていることを特徴とする請求項１乃至請求項７のいずれか一項に記載の光源装置である。
【００１８】
また、請求項９記載の発明は、前記固体光源は固定されており、この場合、前記可変手段は、前記円錐形状の反射型蛍光回転体を該円錐形状の反射型蛍光回転体の回転軸の方向に移動させる移動手段となっていることを特徴とする請求項１乃至請求項８のいずれか一項に記載の光源装置である。
【００１９】
また、請求項１０記載の発明は、請求項１乃至請求項９のいずれか一項に記載の光源装置が用いられていることを特徴とする照明装置である。
【発明の効果】
【００２０】
請求項１乃至請求項４、請求項８乃至請求項１０記載の発明によれば、紫外光を出射する固体光源と、回転軸の周りに回転可能な反射型蛍光回転体とを備え、該反射型蛍光回転体は、前記固体光源からの紫外光の入射により互いに異なった色の蛍光を発光する蛍光体層をそれぞれ備えた複数の蛍光体領域を有している光源装置において、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記複数の蛍光体領域に対応する前記円弧上の長さの比率が前記半径に依存して変化するように前記複数の蛍光体領域が配置されており、さらに、前記円錐形状の反射型蛍光回転体と前記固体光源との位置関係を可変にする可変手段が設けられているので、蛍光回転体を用いて色割れを防止することができ、かつ、蛍光回転体を用いた場合でも、複雑な制御系などを必要とせずに、簡単に照明色を変化させることの可能な光源装置および照明装置を提供することができる。
【００２１】
さらに、請求項１乃至請求項４、請求項８乃至請求項１０記載の発明では、前記反射型蛍光回転体は円錐形状のものであるので、例えば、蛍光回転体の回転軸方向に主照射方向を有する（主照射方向を回転軸方向に一致させる）光源装置を実現することができる。さらに、請求項１乃至請求項４、請求項８乃至請求項１０記載の発明において、紫外光を出射する固体光源が複数個（例えば３個）設けられ、複数の（例えば３つの）固体光源が、蛍光回転体１の同じ角度間隔（１２０°の角度間隔）を隔てた３つの位置を同時に照射するように配置されている場合には、それぞれ異なる蛍光体層を同時に照射することが多くなり（できる限り同時に、蛍光回転体の複数の蛍光体層を照射することができ）、モーター音の増大などを生じさせるほど蛍光回転体の回転速度を早くすることなく、カラーブレイク現象を低減することができる。さらに、複数の（例えば３つの）固体光源を用いて蛍光回転体の複数の場所を照射することにより、大光量の照明光を得ることができる。さらに、この場合、円錐形状の反射型蛍光回転体を使用しているので、余計な光学系を設ける必要なく、複数（いまの場合、３つ）の光の出射方向を統一できる。
【００２２】
また、請求項５乃至請求項１０記載の発明によれば、可視光を出射する固体光源と、回転軸の周りに回転可能な反射型蛍光回転体とを備え、該反射型蛍光回転体は、前記固体光源からの可視光により励起され該固体光源からの可視光の波長よりも長波長の蛍光を発光する蛍光体層を備えた少なくとも１つの蛍光体領域、および、蛍光体層が設けられていない非蛍光体領域の各領域を、互いに分割された領域として有しており、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記蛍光体領域及び非蛍光体領域に対応する前記円弧上の長さの比率が前記半径に依存して変化するように前記蛍光体領域及び前記非蛍光体領域が配置されており、さらに、前記円錐形状の反射型蛍光回転体と前記固体光源との位置関係を可変にする可変手段が設けられているので、蛍光回転体を用いて色割れを防止することができ、かつ、蛍光回転体を用いた場合でも、複雑な制御系などを必要とせずに、簡単に照明色を変化させることの可能な光源装置および照明装置を提供することができる。
【００２３】
さらに、請求項５乃至請求項１０記載の発明では、前記反射型蛍光回転体は円錐形状のものであるので、例えば、蛍光回転体の回転軸方向に主照射方向を有する（主照射方向を回転軸方向に一致させる）光源装置を実現することができる。さらに、請求項５乃至請求項１０記載の発明において、可視光を出射する固体光源が複数個（例えば３個）設けられ、複数の（例えば３つの）固体光源が、蛍光回転体１の同じ角度間隔（１２０°の角度間隔）を隔てた３つの位置を同時に照射するように配置されている場合には、それぞれ異なる領域を同時に照射することが多くなり（できる限り同時に、蛍光回転体の複数の領域を照射することができ）、モーター音の増大などを生じさせるほど蛍光回転体の回転速度を早くすることなく、カラーブレイク現象を低減することができる。さらに、複数の（例えば３つの）固体光源を用いて蛍光回転体の複数の場所を照射することにより、大光量の照明光を得ることができる。さらに、この場合、円錐形状の反射型蛍光回転体を使用しているので、余計な光学系を設ける必要なく、複数（いまの場合、３つ）の光の出射方向を統一できる。
【００２４】
特に、請求項８記載の発明では、前記円錐形状の反射型蛍光回転体の前記蛍光体層が配置される基板には、反射面が設けられていることにより、効率の高い光源装置および照明装置を提供することができる。
【図面の簡単な説明】
【００２５】
【図１】従来の蛍光回転体を示す図である。
【図２】図１の蛍光回転体を用いた光源装置を示す図である。
【図３】本発明の第１の実施形態の光源装置の一構成例を示す図である。
【図４】図３の光源装置に用いられる蛍光回転体の一例を示す図である。
【図５】移動手段の一例を示す図である。
【図６】本発明の第１の実施形態の光源装置において複数の固体光源を用いる場合の構成例を示す図である。
【図７】図６の光源装置に用いられる蛍光回転体の一例を示す図である。
【図８】移動手段の一例を示す図である。
【図９】本発明の第１の実施形態の光源装置において複数の固体光源を用いる場合の変形例を示す図である。
【図１０】本発明の第２の実施形態の光源装置の一構成例を示す図である。
【図１１】図１０の光源装置に用いられる蛍光回転体の一例を示す図である。
【図１２】移動手段の一例を示す図である。
【図１３】本発明の第２の実施形態の光源装置において複数の固体光源を用いる場合の構成例を示す図である。
【図１４】図１３の光源装置に用いられる蛍光回転体の一例を示す図である。
【図１５】移動手段の一例を示す図である。
【図１６】本発明の第２の実施形態の光源装置において複数の固体光源を用いる場合の変形例を示す図である。
【図１７】本発明の第２の実施形態の光源装置の他の構成例を示す図である。
【図１８】図１７の光源装置に用いられる蛍光回転体の一例を示す図である。
【図１９】図１７の光源装置の変形例を示す図である。
【図２０】図１９の光源装置に用いられる蛍光回転体の一例を示す図である。
【図２１】第１、第２の実施態様で示した光源装置を用いた照明装置の一構成例を示す図である。
【図２２】第１、第２の実施態様で示した光源装置を用いた照明装置の他の構成例を示す図である。
【発明を実施するための最良の形態】
【００２６】
以下、本発明の実施形態を図面に基づいて説明する。
【００２７】
本発明の第１の実施形態は、紫外光を出射する固体光源と、回転軸の周りに回転可能な反射型蛍光回転体とを備え、該反射型蛍光回転体は、前記固体光源からの紫外光の入射により互いに異なった色の蛍光を発光する蛍光体層をそれぞれ備えた複数の蛍光体領域を有している光源装置において、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、前記複数の蛍光体領域に対応する前記円弧上の長さの比率が前記半径に依存して変化するように前記複数の蛍光体領域が配置されており、さらに、前記円錐形状の反射型蛍光回転体と前記固体光源との位置関係を可変にする可変手段が設けられていることを特徴としている。
【００２８】
より具体的には、前記円錐形状の反射型蛍光回転体の回転軸を中心として回転軸と垂直な平面内においてある半径で前記反射型蛍光回転体上に円弧を描くとき、前記複数の蛍光体領域に対応する前記円弧上の長さの比率が前記半径に依存して変化するように、前記反射型蛍光回転体は、前記複数の蛍光体領域を区分する境界線の少なくとも１本が曲線状になっている。
【００２９】
なお、上記蛍光体領域とは、蛍光体層を有する領域であって、後述のように、蛍光体層に対応させて、調整層などが設けられる場合には、蛍光体層とともに、これらをも含めたものを指すものとする。以下では、便宜上、蛍光体層とこれに対応する蛍光体領域には、同じ符号を付している。
【００３０】
図３は、本発明の第１の実施形態の光源装置の一構成例を示す図（概略正面図）である。図３を参照すると、この光源装置１０は、紫外光を出射する固体光源５と、回転軸Ｘの周りに回転可能な（モーター４によって回転する）円錐形状の蛍光回転体１とを備えている。図４は、図３の光源装置１０に用いられる円錐形状の蛍光回転体１の一例を示す図（平面図）である（なお、図４には、固体光源５の位置も図示されている）。図４の例では、円錐形状の蛍光回転体１は、円錐形状の基板上に紫外光を照射すると赤色、緑色、青色の蛍光をそれぞれ発光する蛍光体層２ａ，２ｂ，２ｃが３つの分割された領域として配置されており、赤色と緑色の蛍光体層２ａ，２ｂの領域を区分する境界線３ａ、緑色と青色の蛍光体層２ｂ，２ｃの領域を区分する境界線３ｂは、蛍光回転体１の回転軸Ｘ（回転中心）を通って半径方向に延びる直線となっているが、赤色と青色の蛍光体層２ａ，２ｃの領域を区分する境界線３ｃは、曲線状になっている（紫外光の入射によって赤色の蛍光を発する蛍光体領域２ａと青色の蛍光を発する蛍光体領域２ｃとを区分する境界線が曲線状になっている）。すなわち、複数の蛍光体領域２ａ，２ｂ，２ｃのうち、最も短波長の蛍光を発する蛍光体領域２ｃと最も長波長の蛍光を発する蛍光体領域２ａとを区分する境界線が曲線状になっている。これにより、円錐形状の蛍光回転体１の回転軸Ｘを中心としてある半径で蛍光回転体１上に円弧を描くとき、複数の蛍光体領域２ａ，２ｂ，２ｃに対応する円弧上の長さの比率が前記半径に依存して変化するように構成されている。
【００３１】
また、図３の光源装置１０では、円錐形状の蛍光回転体１が反射型のものとして構成され、円錐形状の蛍光回転体１の円錐の頂角を例えば９０度（回転軸Ｘに対する傾き角が４５度）とするとき、固体光源５から矢印Ａ１の方向（図３の例では、蛍光回転体１の回転軸Ｘと垂直な方向）に出射された紫外光（励起光）によって励起された各蛍光体層２ａ，２ｂ，２ｃからの発光のうち、円錐形状の蛍光回転体１で反射されて矢印Ａ２の方向（図３の例では、蛍光回転体１の回転軸Ｘと平行な方向）に出射する光を照明光として利用できるようになっている。以下、この形式の蛍光回転体を、反射型蛍光回転体という。ここで、蛍光体層２ａ，２ｂ，２ｃからの出射光を考えると、入射励起光に対して反射する光とともに、蛍光体層２ａ，２ｂ，２ｃで多重反射され蛍光回転体１を透過する発光や、蛍光体層２ａ，２ｂ，２ｃを励起せず励起光のまま蛍光回転体１を透過する光も存在している。もし、蛍光回転体１の蛍光体層２ａ，２ｂ，２ｃを配置する基板が透明であるとすると、これらの光は蛍光回転体１の裏側に抜ける透過光となり、照明光として利用できない光となってしまう。
【００３２】
反射型蛍光回転体１を用いる場合に、蛍光体層２ａ，２ｂ，２ｃからの上記透過光を照明光として利用するため、蛍光回転体１の蛍光体層２ａ，２ｂ，２ｃを配置する基板には、光を反射する反射面が設けられているのが好ましい。すなわち、蛍光回転体１の基板自体を金属製とするか、あるいは、例えば透明な基板上に金属膜を配置したりするのが良い。これにより、効率の高い光源装置を実現できる。
【００３３】
なお、蛍光体領域の蛍光体層での励起光から蛍光への変換効率は、蛍光体層を形成する蛍光体材料により異なるが、５０％から９９％程度である。従って、本発明では、この変換効率を考慮に入れた蛍光回転体１を設計する必要がある。具体的には、変換効率が高い蛍光体層が配置された蛍光体領域の透過率もしくは反射率を調整する設計手法が考えられる。蛍光体領域２ａ，２ｂ，２ｃの透過率もしくは反射率を調整する方法としては、蛍光体層２ａ，２ｂ，２ｃに重ねて所定の透過率を有する調整層をさらに設ける方法などが考えられる。ここで、調整層としては、それぞれの蛍光体の蛍光波長付近に吸収波長を有する顔料を薄膜として配置するなどの方法が利用できる。
【００３４】
ところで、図３の光源装置１０では、赤色蛍光体層２ａの領域と青色蛍光体層２ｃの領域とを区分する境界線３ｃが曲線状となっている図４の蛍光回転体１を用いていることから、円錐形状の反射型蛍光回転体１と固体光源５との位置関係を可変手段６によって変化させることにより、照明色を変化させることができる。
【００３５】
円錐形状の反射型蛍光回転体１と固体光源５との位置関係を可変にする（変化させる）可変手段６としては、固体光源５が固定されている場合、円錐形状の反射型蛍光回転体１を該円錐形状の反射型蛍光回転体１の回転軸Ｘの方向に移動させる（図３に移動方向Ｍで示す方向（回転軸Ｘと同じ方向）に移動させる）移動手段を利用することができる。ここで、移動手段としては、図５に示すように、モーター７の回転を直線運動に変えるラックアンドピニオン機構８を用いた一般的なものが使用可能である。
【００３６】
図３乃至図５の構成では、モーター４によって円錐形状の反射型蛍光回転体１を回転させることで、赤緑青の３色の混色により白色光を得て、さらに白色光の色を変化させたい場合、蛍光回転体１の赤色蛍光体層２ａの領域と青色蛍光体層２ｃの領域とを区分する境界線３ｃが曲線状となっていることから、円錐形状の反射型蛍光回転体１と固体光源５との位置関係を可変手段６によって可変にすることにより（変化させることにより）、下記のような原理で、緑色蛍光体層２ｂの励起時間を固定し、青色蛍光体層２ｃと赤色蛍光体層２ａの励起時間を変化させて、青味と赤味をコントロールすることができ、基準となる白色に対して、青味を増すように照明色を変化させたり、赤味を増すように照明色を変化させることが可能となる。このことは、市販の蛍光灯を考えた場合、白色を中心に赤味を増した電球色や青味を増した昼光色を容易に得られることを意味している。
【００３７】
すなわち、図４に示す蛍光回転体１を用いた図３、図５に示す光源装置１０で照明色を変化させられる原理は、次の通りである。固体光源５の光軸上を図４に示すＡ点が横切るように蛍光回転体１を配置した場合、蛍光回転体１をモーター４で回転させると、蛍光回転体１の回転軸Ｘを中心として持つＡ点を通る円弧上の部分の蛍光体層２ａ，２ｂ，２ｃが固体光源５によりそれぞれの発光色で発光する。Ａ点を通る円弧上での赤、緑、青の各蛍光体層２ａ，２ｂ，２ｃに対する円弧の長さはほぼ等しくなり、この時に照明光が基準となる白色になるように、例えば、各蛍光体層２ａ，２ｂ，２ｃに重ねて調整層を設けたり、各蛍光体層２ａ，２ｂ，２ｃの膜厚などを調整しておく。この基準となる白色に対して青味を持たせるためには、青色蛍光体層２ｃの励起時間を延ばし赤色蛍光体層２ａの励起時間を短くすれば良いが、図４に示す蛍光回転体１では、Ａ点より外側に位置する蛍光回転体の回転軸Ｘを中心とする円弧上を固体光源５により励起すれば良いことになる。この状態を実現するために、蛍光回転体１およびモーター４を、図３、図５上で上方向に位置移動させれば良い。これにより、青味を持たせた照明色に変化させることができる。逆に、基準となる白色に対して赤味を持たせるためには、図３、図５上で蛍光回転体１およびモーター４を下方向に移動させれば良い。この場合には、Ａ点より内側に位置する蛍光回転体１の回転軸Ｘを中心とする円弧上を固体光源５により励起することになり、赤色蛍光体層２ａの励起時間を延ばし青色蛍光体層２ｃの励起時間を短くすることができ、赤味を持たせた照明色に変化させることができる。以上のように、蛍光回転体１およびモーター４をモーター７とラックアンドピニオン機構８により連続的に動かせば、照明色を青味を持った白色から、赤味を持った白色まで連続的に変化させることができる。
【００３８】
さらに、図３乃至図５の構成では、円錐形状の反射型蛍光回転体１が用いられていることから、固体光源５から矢印Ａ１の方向に出射された紫外光（励起光）によって励起された各蛍光体層２ａ，２ｂ，２ｃからの発光のうち、円錐形状の反射型蛍光回転体１で反射されて矢印Ａ２の方向に出射する光を照明光として利用できるようになっている。
【００３９】
すなわち、図３乃至図５の構成では、円錐形状の反射型蛍光回転体１を使用しているので、例えば円錐の頂角を９０度（回転軸Ｘに対する傾き角は４５度）とし、固体光源５の光軸と回転軸Ｘとのなす角度を９０度とする等、所定の関係にすれば、反射型蛍光回転体１の回転軸Ｘ方向に主照射方向を有する（主照射方向Ａ２を回転軸Ｘ方向に一致させる）光源装置を実現することができる。
【００４０】
なお、図３乃至図５の構成例では、１つの固体光源５が用いられる場合を示したが、この場合には、１つの固体光源５からの光は、同時には１つの蛍光体層しか照射しないので、蛍光回転体の回転に伴って、発光色が時間的に変化し、いわゆるカラーブレイク現象が生じてしまう。
【００４１】
カラーブレイク現象は本来白色として観察されるはずの赤緑青の順次発光の個々の色が瞬間的に視認されてしまう現象をいい、明るい室内で普通に観察する限りはカラーブレイク現象は生じることはないが、暗い部屋で観察する場合や光源もしくは照明場所から急に目をそむけた時などにカラーブレイク現象が生じてしまう。
【００４２】
蛍光回転体の回転速度を早くして順次発光の繰返し周期を短くすれば、ある程度はカラーブレイク現象が起き難くなるが、回転数上昇によるモーター音の増大など別の要因で人を不愉快にさせてしまう。
【００４３】
モーター音の増大などを生じさせるほど蛍光回転体の回転速度を早くすることなく、カラーブレイク現象を防止するには、複数の固体光源を用いて、できる限り同時に、蛍光回転体の複数の蛍光体層を照射するのが良い。また、複数の固体光源を用いて蛍光回転体の複数の場所を照射する場合には、大光量の照明光を得ることができる。
【００４４】
図６は、本発明の第１の実施形態の光源装置において複数の固体光源を用いる場合の構成例を示す図（概略正面図）である。なお、図６において、図３と同様の箇所には同じ符号を付している。図６を参照すると、この光源装置２０は、紫外光を出射する３つの固体光源５ａ，５ｂ，５ｃと、回転軸Ｘの周りに回転可能な（モーター４によって回転する）円錐形状の蛍光回転体１とを備えている。図７は、図６の光源装置２０に用いられる蛍光回転体１の一例を示す図（平面図）である（なお、図７には、固体光源５ａ，５ｂ，５ｃの位置も図示されている）。図７の例においても、図４と全く同様に、蛍光回転体１は、基板上に、紫外光を照射すると赤色、緑色、青色の蛍光をそれぞれ発光する蛍光体層２ａ，２ｂ，２ｃが３つの分割された領域として配置されている。そして、図７に示されているように、図６の光源装置２０では、円錐形状の蛍光回転体１の円錐の頂角を例えば９０度（回転軸Ｘに対する傾き角が４５度）とするとき、３つの固体光源５ａ，５ｂ，５ｃは、３つの固体光源５ａ，５ｂ，５ｃから矢印Ａ１の方向（図６の例では、蛍光回転体１の回転軸Ｘと垂直な方向）に出射された紫外光が、蛍光回転体１の同じ角度間隔（１２０°の角度間隔）を隔てた３つの位置を同時に照射するように配置されている。
【００４５】
なお、図６の光源装置２０においても、円錐形状の蛍光回転体１は反射型のものであり（反射型蛍光回転体であり）、円錐形状の反射型蛍光回転体１の構成は前述したものと全く同じであるので、説明を省略する。
【００４６】
ところで、図６の光源装置２０では、赤色蛍光体層２ａの領域と青色蛍光体層２ｃの領域とを区分する境界線３ｃが曲線状となっている図７の蛍光回転体１を用いていることから、円錐形状の反射型蛍光回転体１と固体光源５ａ，５ｂ，５ｃとの位置関係を可変手段６によって変化させることにより、照明色を変化させることができる。
【００４７】
円錐形状の反射型蛍光回転体１と固体光源５ａ，５ｂ，５ｃとの位置関係を可変にする（変化させる）可変手段６としては、固体光源５ａ，５ｂ，５ｃが固定されている場合、円錐形状の反射型蛍光回転体１を該円錐形状の反射型蛍光回転体１の回転軸Ｘの方向に移動させる（図６に移動方向Ｍで示す方向（回転軸Ｘと同じ方向）に移動させる）移動手段を利用することができる。ここで、移動手段としては、図８に示すように、モーター７の回転を直線運動に変えるラックアンドピニオン機構８を用いた一般的なものが使用可能である。
【００４８】
図６乃至図８の構成では、図３乃至図５において説明したと同じ原理で、照明色を変化させることができる。すなわち、モーター４によって円錐形状の反射型蛍光回転体１を回転させることで、赤緑青の３色の混色により白色光を得て、さらに白色光の色を変化させたい場合、蛍光回転体１の赤色蛍光体層２ａの領域と青色蛍光体層２ｃの領域とを区分する境界線３ｃが曲線状となっていることから、円錐形状の反射型蛍光回転体１と固体光源５ａ，５ｂ，５ｃとの位置関係を可変手段６によって可変にすることにより（蛍光回転体１およびモーター４を、図６、図８上で上方向あるいは下方向に位置移動させることにより）、緑色蛍光体層２ｂの励起時間を固定し、青色蛍光体層２ｃと赤色蛍光体層２ａの励起時間を変化させて、青味と赤味をコントロールすることができ、基準となる白色に対して、青味を増すように照明色を変化させたり、赤味を増すように照明色を変化させることが可能となる。このことは、市販の蛍光灯を考えた場合、白色を中心に赤味を増した電球色や青味を増した昼光色を容易に得られることを意味している。
【００４９】
さらに、図６乃至図８の構成では、モーター４によって蛍光回転体１を回転させることで、赤緑青の３色の混色により白色光を得るとき、紫外光を出射する３つの固体光源５ａ，５ｂ，５ｃが、蛍光回転体１の同じ角度間隔（１２０°の角度間隔）を隔てた３つの位置を同時に照射するように配置されているので、それぞれ異なる蛍光体層２ａ，２ｂ，２ｃを同時に照射することが多くなり（できる限り同時に、蛍光回転体１の複数の蛍光体層２ａ，２ｂ，２ｃを照射することができ）、モーター音の増大などを生じさせるほど蛍光回転体の回転速度を早くすることなく、カラーブレイク現象を低減することができる。
【００５０】
例えば図７に示した赤緑青の３つの蛍光体領域２ａ，２ｂ，２ｃを有する蛍光回転体１を３つの固体光源５ａ，５ｂ，５ｃで照射する場合、ある１つの光源だけに注目した場合は、時間順次で赤緑青の発光を繰り返しカラーブレイクを生じることになるが、別の光源では同時に別の色を励起することが多くなり、複数の光源によって励起された異なった発光色の混色を観察することが多くなることになり、カラーブレイクを著しく低減できる。さらに、３つの固体光源５ａ，５ｂ，５ｃを用いて蛍光回転体１の複数の場所を照射することにより、大光量の照明光を得ることができる。
【００５１】
さらに、図６乃至図８の構成では、円錐形状の反射型蛍光回転体１を使用しているので、例えば円錐の頂角を９０度（回転軸Ｘに対する傾き角は４５度）とし、固体光源５ａ，５ｂ，５ｃの光軸と回転軸Ｘとのなす角度を９０度とする等、所定の関係にすれば、反射型蛍光回転体の回転軸Ｘ方向に主照射方向を有する（主照射方向Ａ２を回転軸Ｘ方向に一致させる）光源装置を実現することができる。これにより、余計な光学系を設ける必要なく、複数（いまの場合、３つ）の光の出射方向を統一できる。
【００５２】
以下、本発明の第１の実施形態の光源装置１０、２０をより詳細に説明する。
【００５３】
本発明の第１の実施形態の光源装置１０、２０において、固体光源５、あるいは、５ａ，５ｂ，５ｃとしては、いずれも同じ構成のものを用いることができる。すなわち、固体光源５、あるいは、５ａ，５ｂ，５ｃには、例えば、ＩｎＧａＮ系の材料を用いた発光波長が約３８０ｎｍの近紫外光を発光する発光ダイオードを用いることができる。なお、固体光源５、あるいは、５ａ，５ｂ，５ｃとしては、発光ダイオードに限らず、紫外光を放出する光源であれば良く、半導体レーザー等を用いることもできる。
【００５４】
ここで、図６乃至図８の構成では、固体光源５ａ，５ｂ，５ｃは、円錐形状の反射型蛍光回転体１の回転軸Ｘを中心とする所定の円弧上で同じピッチ（等間隔）に配置されている。このような配置を採用することにより、できる限り同時に、円錐形状の反射型蛍光回転体１の全ての色が発光している状態を作り出すことができる。
【００５５】
また、蛍光回転体１には、赤、緑、青の発光色に対応する蛍光体層２ａ，２ｂ，２ｃが、図４、図７に示すように、各色が塗り分けられたものを使用できる。なお、変換効率が各色の蛍光体間で異なる場合は、前述した設計手法に従い蛍光回転体を作製することになる。塗り分けは、円錐形状のままで電着法を利用したり、円錐を展開した平板にそれぞれの蛍光体層パターンに対応する開口部（メタルメッシュ開口）を有するスクリーンを用いて印刷した後に組み立てて円錐形状にする方法などが利用できる。反射型蛍光回転体の基板としてはアルミなどの金属基板が使用可能であり、電着や印刷後の組み立て時にも有利である。基板に石英ガラス基板のような透明体を使用することも可能であるが、その場合は反射面としてアルミなどの金属膜を蒸着などの方法で形成する必要がある。アルミなどの金属基板を使用する場合は反射面は不要である。
【００５６】
また、蛍光体層２ａ，２ｂ，２ｃには、波長が約３８０ｎｍないし約４００ｎｍの紫外光により励起されるものとして、例えば、赤色蛍光体層２ａには、ＣａＡｌＳｉＮ３：Ｅｕ２＋、Ｃａ２Ｓｉ５Ｎ８：Ｅｕ２＋、Ｌａ２Ｏ２Ｓ：Ｅｕ３＋、ＫＳｉＦ６：Ｍｎ４＋、  ＫＴｉＦ６：Ｍｎ４＋等を用いることができ、緑色蛍光体層２ｂには、（Ｓｉ，Ａｌ）６（Ｏ，Ｎ）８：Ｅｕ２＋、ＢａＭｇＡｌ１０Ｏ１７：Ｅｕ２＋，Ｍｎ２＋、（Ｂａ，Ｓｒ）２ＳｉＯ４：Ｅｕ２＋等を用いることができ、青色蛍光体層２ｃには、（Ｓｒ，Ｃａ，Ｂａ，Ｍｇ）１０（ＰＯ４）６Ｃｌ２：Ｅｕ２＋、ＢａＭｇＡｌ１０Ｏ１７：Ｅｕ２＋、ＬａＡｌ（Ｓｉ，Ａｌ）６（Ｎ，Ｏ）１０：Ｃｅ３＋等を用いることができる。
【００５７】
なお、図４、図７の例では、赤色と青色の蛍光体層２ａ，２ｃの領域を区分する境界線３ｃだけが曲線状になっているが、本発明では、蛍光回転体１の回転軸Ｘを中心としてある半径で蛍光回転体１上に円弧を描くとき、複数の蛍光体領域２ａ，２ｂ，２ｃに対応する円弧上の長さの比率が前記半径に依存して変化するように、前記蛍光回転体１は、前記複数の蛍光体領域２ａ，２ｂ，２ｃを区分する境界線３ａ，３ｂ，３ｃの少なくとも１本が曲線状になっていればよく、図４、図７の例のように赤色と青色の蛍光体層２ａ，２ｃの領域を区分する境界線３ｃだけが曲線状になっている場合に限らず、蛍光回転体１の回転軸Ｘを中心としてある半径で円弧を描くとき、複数の蛍光体領域２ａ，２ｂ，２ｃに対応する円弧上の長さの比率が前記半径に依存して変化するという条件を満たす限り、赤色と緑色の蛍光体層２ａ，２ｂの領域を区分する境界線３ａや、緑色と青色の蛍光体層２ｂ，２ｃの領域を区分する境界線３ｂをも曲線状にすることも可能である。また、図４、図７の例では、蛍光回転体１には、赤緑青の３つの蛍光体領域２ａ，２ｂ，２ｃが設けられている場合を示したが、例えば赤緑青の蛍光体領域がそれぞれ２つずつ赤緑青の順に繰り返し設けられている場合（６つの蛍光体領域が設けられている場合）なども、本発明の範囲に含まれる。
【００５８】
また、図６乃至図８の例では、３つの固体光源５ａ，５ｂ，５ｃが設けられている構成となっているが、本発明は、この構成に限定されず、種々の変形が可能である。例えば図９に示すように、蛍光回転体１上の３つの蛍光体層２ａ，２ｂ，２ｃに対し、固体光源の個数が２であり、２つの固体光源５ａ，５ｂが、できる限り同時に、３つの蛍光体層２ａ，２ｂ，２ｃのうちの２つの蛍光体層を照射するような場合も、本発明の範囲に含まれる。なお、この場合は、図７に示す場合に比べれば劣るが、カラーブレイク現象を低減できる。
【００５９】
本発明の第２の実施形態の光源装置は、可視光を出射する固体光源と、回転軸の周りに回転可能な反射型蛍光回転体とを備え、該反射型蛍光回転体は、前記固体光源からの可視光により励起され該固体光源からの可視光の波長よりも長波長の蛍光を発光する蛍光体層を備えた少なくとも１つの蛍光体領域、および、蛍光体層が設けられていない非蛍光体領域の各領域を、互いに分割された領域として有しており、前記反射型蛍光回転体は円錐形状のものであり、かつ、前記円錐形状の反射型蛍光回転体の回転軸を中心として回転軸と垂直な平面内においてある半径で前記反射型蛍光回転体上に円弧を描くとき、各領域に対応する前記円弧上の長さの比率が前記半径に依存して変化するように前記各領域が配置されており、さらに、前記円錐形状の反射型蛍光回転体と前記固体光源との位置関係を可変にする可変手段が設けられていることを特徴としている。
【００６０】
より具体的には、前記円錐形状の反射型蛍光回転体の回転軸を中心として回転軸と垂直な平面内においてある半径で前記反射型蛍光回転体上に円弧を描くとき、各領域（少なくとも１つの蛍光体領域、および、非蛍光体領域の各領域）に対応する円弧上の長さの比率が半径に依存して変化するように、少なくとも１つの蛍光体領域、および、非蛍光体領域の各領域を区分する境界線の少なくとも１本が曲線状になっている。なお、このことは、例えば、１種類の蛍光体領域と非蛍光体領域との２つの領域で形成された蛍光回転体を用いるときは、２つの領域を区分する２つの境界線の片方のみ、または両方を曲線状にすることを意味する。
【００６１】
なお、上記蛍光体領域とは、蛍光体層を有する領域であって、後述のように、蛍光体層に対応させて、調整層などが設けられる場合には、蛍光体層とともに、これらをも含めたものを指すものとする。以下では、便宜上、蛍光体層とこれに対応する蛍光体領域には、同じ符号を付している。また、非蛍光体領域とは、蛍光体層を有しない領域を指すものとする。
【００６２】
図１０は、本発明の第２の実施形態の光源装置の一構成例を示す図である。なお、図１０において、図３と同様の箇所には同じ符号を付している。図１０を参照すると、この光源装置４０は、可視光（例えば、青色光）を出射する固体光源４５と、回転軸Ｘの周りに回転可能な（モーター４によって回転する）円錐形状の蛍光回転体４１とを備えている。図１１は、図１０の光源装置４０に用いられる蛍光回転体４１の一例を示す図（平面図）である（なお、図１１には、固体光源４５の位置も図示されている）。図１１の例では、蛍光回転体４１は、基板上に、可視光（例えば、青色光）を照射すると赤色、緑色の蛍光をそれぞれ発光する蛍光体層４２ａ，４２ｂが２つの分割された蛍光体領域として配置され、蛍光体層が設けられていない領域４２ｃが非蛍光体領域として配置されており、赤色と緑色の蛍光体層４２ａ，４２ｂの領域を区分する境界線４３ａ、緑色の蛍光体層４２ｂの領域と非蛍光体領域４２ｃとを区分する境界線４３ｂは、蛍光回転体４１の回転軸Ｘ（回転中心）を通って半径方向に延びる直線となっているが、赤色の蛍光体層４２ａの領域と非蛍光体領域４２ｃとを区分する境界線４３ｃは、曲線状になっている（可視光（例えば、青色光）の入射によって赤色の蛍光を発する蛍光体領域４２ａと非蛍光体領域４２ｃとを区分する境界線が曲線状になっている）。すなわち、２つの蛍光体領域４２ａ，４２ｂのうち最も長波長の蛍光を発する赤色蛍光体領域４２ａと非蛍光体領域４２ｃとを区分する境界線が曲線状になっている。これにより、蛍光回転体４１の回転軸Ｘを中心としてある半径で蛍光回転体４１上に円弧を描くとき、各領域４２ａ，４２ｂ，４２ｃに対応する円弧上の長さの比率が前記半径に依存して変化するように構成されている。
【００６３】
図１０の光源装置４０では、円錐形状の蛍光回転体４１が反射型のものとして構成され、円錐形状の蛍光回転体４１の円錐の頂角を例えば９０度（回転軸Ｘに対する傾き角が４５度）とするとき、固体光源４５から矢印Ａ１の方向（図１０の例では、蛍光回転体４１の回転軸Ｘと垂直な方向）に出射された可視光（例えば青色光）によって励起された各蛍光体領域（各蛍光体層）４２ａ，４２ｂからの発光のうち、円錐形状の蛍光回転体４１で反射されて矢印Ａ２の方向（図１０の例では、蛍光回転体４１の回転軸Ｘと平行な方向）に出射する光（赤色光、緑色光）、および、非蛍光体領域４２ｃで矢印Ａ２の方向（図１０の例では、蛍光回転体４１の回転軸Ｘと平行な方向）に反射される光（青色光）を照明光として利用できるようになっている。以下、この形式の蛍光回転体を、反射型蛍光回転体と称す。ここで、蛍光体層４２ａ，４２ｂからの出射光を考えると、入射励起光に対して反射する光とともに蛍光体層４２ａ，４２ｂで多重反射され蛍光回転体４１を透過する発光や、蛍光体層４２ａ，４２ｂを励起せず励起光のまま蛍光回転体４１を透過する光も存在している。もし、蛍光回転体４１の蛍光体層４２ａ，４２ｂを配置する基板が透明であるとすると、これらの光は蛍光回転体４１の裏側に抜ける透過光となり、照明光として利用できない光となってしまう。
【００６４】
反射型蛍光回転体４１を用いる場合に、蛍光体層４２ａ，４２ｂからの上記透過光を照明光として利用するため、蛍光回転体４１の蛍光体層４２ａ，４２ｂを配置する基板には、光を反射する反射面が設けられているのが好ましい。すなわち、蛍光回転体４１の基板自体を金属製とするか、あるいは、例えば透明な基板上に金属膜を配置したりするのが良い。これにより、効率の高い光源装置を実現できる。
【００６５】
なお、蛍光体領域の蛍光体層での励起光から蛍光への変換効率は、蛍光体層を形成する蛍光体材料により異なるが、５０％から９９％程度である。従って、本発明では、この変換効率を考慮に入れた蛍光回転体４１を設計する必要がある。具体的には、非蛍光体領域４２ｃ（変換効率が１００％）や変換効率が高い蛍光体層が配置された蛍光体領域の透過率もしくは反射率を調整したり、あるいは、非蛍光体領域４２ｃに散乱性を持たせて透過率もしくは反射率を調整する設計手法が考えられる。透過率もしくは反射率を調整する方法としては、非蛍光体領域４２ｃでは、非蛍光体領域４２ｃ上に所定の透過率を有する調整層を設け、また、蛍光体領域４２ａ，４２ｂでは、蛍光体層４２ａ，４２ｂに重ねて所定の透過率を有する調整層をさらに設ける方法などが考えられる。ここで、非蛍光体領域４２ｃ上に設けられる調整層としては、青色光を一部吸収する顔料を薄膜として配置するなどの方法が利用できる。また、蛍光体層４２ａ，４２ｂに重ねて設けられる調整層としては、それぞれの蛍光体の蛍光波長付近に吸収波長を有する顔料を薄膜として配置するなどの方法が利用できる。また、非蛍光体領域４２ｃに散乱性を持たせるためには、蛍光回転体４１の基板表面に微細な凹凸を付けたり、散乱材を混入した散乱層を蛍光回転体４１の基板上に配置する方法などが考えられる。
【００６６】
ところで、図１０の光源装置４０では、可視光（例えば、青色光）の入射によって赤色の蛍光を発する蛍光体領域４２ａと非蛍光体領域４２ｃとを区分する境界線４３ｃが曲線状になっている図１１の蛍光回転体４１を用いていることから、円錐形状の反射型蛍光回転体４１と固体光源４５との位置関係を可変手段６によって変化させることにより、照明色を変化させることができる。
【００６７】
円錐形状の反射型蛍光回転体４１と固体光源４５との位置関係を可変にする（変化させる）可変手段６としては、固体光源４５が固定されている場合、円錐形状の反射型蛍光回転体４１を該円錐形状の反射型蛍光回転体４１の回転軸Ｘの方向に移動させる（図１０に移動方向Ｍで示す方向（回転軸Ｘと同じ方向）に移動させる）移動手段を利用することができる。ここで、移動手段としては、図１２に示すように、モーター７の回転を直線運動に変えるラックアンドピニオン機構８を用いた一般的なものが使用可能である。
【００６８】
図１０乃至図１２の構成では、モーター４によって円錐形状の反射型蛍光回転体４１を回転させることで、赤緑青の３色の混色により白色光を得て、さらに白色光の色を変化させたい場合、蛍光回転体４１の蛍光体領域４２ａと非蛍光体領域４２ｃとを区分する境界線４３ｃが曲線状となっていることから、下記のような原理で、円錐形状の反射型蛍光回転体４１と固体光源４５との位置関係を可変手段６によって可変にすることにより（蛍光回転体４１およびモーター４を、図１０、図１２上で上方向あるいは下方向に位置移動させることにより）、緑色蛍光体層４２ｂの励起時間を固定して、非蛍光体領域４２ｃの照明時間と赤色蛍光体層４２ａの励起時間を変化させて、青味と赤味をコントロールすることができ、基準となる白色に対して、青味を増すように照明色を変化させたり、赤味を増すように照明色を変化させることが可能となる。このことは、市販の蛍光灯を考えた場合、白色を中心に赤味を増した電球色や青味を増した昼光色を容易に得られることを意味している。
【００６９】
すなわち、図１１に示す蛍光回転体４１を用いた図１０、図１２に示す光源装置４０で照明色を変化させられる原理は、次の通りである。固体光源４５の光軸上を図１１に示すＡ点が横切るように蛍光回転体４１を配置した場合、蛍光回転体４１をモーター４で回転させると、蛍光回転体４１の回転軸Ｘを中心として持つＡ点を通る円弧上の部分の蛍光体層４２ａ，４２ｂが固体光源４５によりそれぞれの発光色で発光するとともに、非蛍光体領域４２ｃの同じ円弧状に対応する部分で固体光源４５の青色光が照射される。Ａ点を通る円弧上での赤、緑の各蛍光体層４２ａ，４２ｂに対する円弧の長さ、さらには非蛍光体領域４２ｃに対する円弧の長さは、前記した蛍光回転体の設計手法に従い、この時に照明光が基準となる白色になるように、例えば、各蛍光体層４２ａ，４２ｂに重ねて調整層を設けたり、各蛍光体層４２ａ，４２ｂの膜厚などとともに調整されている。この基準となる白色に対して青味を持たせるためには、非蛍光体領域４２ｃでの青色光の照射時間を延ばし赤色蛍光体層４２ａの励起時間を短くすれば良いが、図１１に示す蛍光回転体４１では、Ａ点より外側に位置する蛍光回転体の回転軸Ｘを中心とする円弧上を固体光源４５により励起および照射すれば良いことになる。この状態を実現するために、蛍光回転体４１およびモーター４を、図１０、図１２上で上方向に位置移動させれば良い。これにより、青味を持たせた照明色に変化させることができる。逆に、赤味を持たせるためには、図１０、図１２上で蛍光回転体４１およびモーター４を下方向に移動させれば良い。この場合には、Ａ点より内側に位置する蛍光回転体の回転軸Ｘを中心とする円弧上を固体光源４５により励起および照射することになり、赤色蛍光体層４２ａの励起時間を延ばし非蛍光体領域４２ｃでの青色光の照射時間を短くすることができ、赤味を持たせた照明色に変化させることができる。以上のように、蛍光回転体４１およびモーター４をモーター７とラックアンドピニオン機構８により連続的に動かせば、照明色を青味を持った白色から、赤味を持った白色まで連続的に変化させることができる。
【００７０】
さらに、図１０乃至図１２の構成では、円錐形状の蛍光回転体４１が反射型のものとして構成され、固体光源４５から矢印Ａ１の方向に出射された可視光（例えば青色光）によって励起された各蛍光体領域（各蛍光体層）４２ａ，４２ｂからの発光のうち、円錐形状の蛍光回転体４１で反射されて矢印Ａ２の方向に出射する光（赤色光、緑色光）、および、非蛍光体領域４２ｃで矢印Ａ２の方向に反射される光（青色光）を照明光として利用できるようになっている。
【００７１】
すなわち、図１０乃至図１２の構成では、円錐形状の反射型蛍光回転体４１を使用しているので、例えば円錐の頂角を９０度（回転軸Ｘに対する傾き角は４５度）とし、固体光源４５の光軸と回転軸Ｘとのなす角度を９０度とする等、所定の関係にすれば、反射型蛍光回転体４１の回転軸Ｘ方向に主照射方向を有する（主照射方向Ａ２を回転軸Ｘ方向に一致させる）光源装置を実現することができる。
【００７２】
なお、図１０乃至図１２の構成例では、１つの固体光源４５が用いられる場合を示したが、この場合には、１つの固体光源４５からの光は、同時には１つの領域しか照射しないので、蛍光回転体の回転に伴って、発光色が時間的に変化し、いわゆるカラーブレイク現象が生じてしまう。
【００７３】
カラーブレイク現象は本来白色として観察されるはずの赤緑青の順次発光の個々の色が瞬間的に視認されてしまう現象をいい、明るい室内で普通に観察する限りはカラーブレイク現象は生じることはないが、暗い部屋で観察する場合や光源もしくは照明場所から急に目をそむけた時などにカラーブレイク現象が生じてしまう。
【００７４】
蛍光回転体の回転速度を早くして順次発光の繰返し周期を短くすれば、ある程度はカラーブレイク現象が起き難くなるが、回転数上昇によるモーター音の増大など別の要因で人を不愉快にさせてしまう。
【００７５】
モーター音の増大などを生じさせるほど蛍光回転体の回転速度を早くすることなく、カラーブレイク現象を防止するには、複数の固体光源を用いて、できる限り同時に、蛍光回転体の複数の領域を照射するのが良い。また、複数の固体光源を用いて蛍光回転体の複数の場所を照射する場合には、大光量の照明光を得ることができる。
【００７６】
図１３は、本発明の第２の実施形態の光源装置において複数の固体光源を用いる場合の構成例を示す図（概略正面図）である。なお、図１３において、図１０と同様の箇所には同じ符号を付している。図１３を参照すると、この光源装置５０は、可視光（例えば、青色光）を出射する３つの固体光源４５ａ，４５ｂ，４５ｃと、回転軸Ｘの周りに回転可能な（モーター４によって回転する）円錐形状の蛍光回転体４１とを備えている。図１４は、図１３の光源装置５０に用いられる蛍光回転体４１の一例を示す図（平面図）である（なお、図１４には、固体光源４５ａ，４５ｂ，４５ｃの位置も図示されている）。図１４の例においても、図１１と全く同様に、蛍光回転体４１は、基板上に、可視光（例えば、青色光）を照射すると赤色、緑色の蛍光をそれぞれ発光する蛍光体層４２ａ，４２ｂが２つの分割された蛍光体領域として配置され、蛍光体層が設けられていない領域４２ｃが非蛍光体領域として配置されている。そして、図１４に示されているように、図１３の光源装置５０では、円錐形状の蛍光回転体４１の円錐の頂角を例えば９０度（回転軸Ｘに対する傾き角が４５度）とするとき、３つの固体光源４５ａ，４５ｂ，４５ｃは、３つの固体光源４５ａ，４５ｂ，４５ｃから矢印Ａ１の方向（図１３の例では、蛍光回転体４１の回転軸Ｘと垂直な方向）に出射された可視光（例えば、青色光）が、蛍光回転体４１の同じ角度間隔（１２０°の角度間隔）を隔てた３つの位置を同時に照射するように配置されている。
【００７７】
なお、図１３の光源装置５０においても、円錐形状の蛍光回転体４１は反射型のものであり（反射型蛍光回転体であり）、円錐形状の反射型蛍光回転体４１の構成は前述したものと全く同じであるので、説明を省略する。
【００７８】
ところで、図１３の光源装置５０では、可視光（例えば、青色光）の入射によって赤色の蛍光を発する蛍光体領域４２ａと非蛍光体領域４２ｃとを区分する境界線４３ｃが曲線状になっている図１４の蛍光回転体４１を用いていることから、円錐形状の反射型蛍光回転体４１と固体光源４５ａ，４５ｂ，４５ｃとの位置関係を可変手段６によって変化させることにより、照明色を変化させることができる。
【００７９】
円錐形状の反射型蛍光回転体４１と固体光源４５ａ，４５ｂ，４５ｃとの位置関係を可変にする（変化させる）可変手段６としては、固体光源４５ａ，４５ｂ，４５ｃが固定されている場合、円錐形状の反射型蛍光回転体４１を該円錐形状の反射型蛍光回転体４１の回転軸Ｘの方向に移動させる（図１３に移動方向Ｍで示す方向（回転軸Ｘと同じ方向）に移動させる）移動手段を利用することができる。ここで、移動手段としては、図１５に示すように、モーター７の回転を直線運動に変えるラックアンドピニオン機構８を用いた一般的なものが使用可能である。
【００８０】
図１３乃至図１５の構成では、図１０乃至図１２において説明したと同じ原理で、照明色を変化させることができる。すなわち、モーター４によって円錐形状の反射型蛍光回転体４１を回転させることで、赤緑青の３色の混色により白色光を得て、さらに白色光の色を変化させたい場合、蛍光回転体４１の蛍光体領域４２ａと非蛍光体領域４２ｃとを区分する境界線４３ｃが曲線状となっていることから、円錐形状の反射型蛍光回転体４１と固体光源４５ａ，４５ｂ，４５ｃとの位置関係を可変手段６によって可変にすることにより（蛍光回転体４１およびモーター４を、図１３、図１５上で上方向あるいは下方向に位置移動させることにより）、緑色蛍光体層４２ｂの励起時間を固定して、非蛍光体領域４２ｃの照明時間と赤色蛍光体層４２ａの励起時間を変化させて、青味と赤味をコントロールすることができ、基準となる白色に対して、青味を増すように照明色を変化させたり、赤味を増すように照明色を変化させることが可能となる。このことは、市販の蛍光灯を考えた場合、白色を中心に赤味を増した電球色や青味を増した昼光色を容易に得られることを意味している。
【００８１】
さらに、図１３乃至図１５の構成では、モーター４によって蛍光回転体４１を回転させることで、赤緑青の３色の混色により白色光を得るとき、可視光（例えば、青色光）を出射する３つの固体光源４５ａ，４５ｂ，４５ｃが、蛍光回転体４１の同じ角度間隔（１２０°の角度間隔）を隔てた３つの位置を同時に照射するように配置されているので、それぞれ異なる領域４２ａ，４２ｂ，４２ｃを同時に照射することが多くなり（できる限り同時に、蛍光回転体１の複数の領域４２ａ，４２ｂ，４２ｃを照射することができ）、モーター音の増大などを生じさせるほど蛍光回転体の回転速度を早くすることなく、カラーブレイク現象を低減することができる。
【００８２】
例えば図１４に示した３つの領域４２ａ，４２ｂ，４２ｃを有する蛍光回転体４１を３つの固体光源４５ａ，４５ｂ，４５ｃで照射する場合、ある１つの光源だけに注目した場合は、時間順次で赤緑青の発光を繰り返しカラーブレイクを生じることになるが、別の光源では同時に別の色を励起することが多くなり、複数の光源によって励起または照射された異なった発光色の混色を観察することが多くなることになり、カラーブレイクを著しく低減できる。さらに、３つの固体光源４５ａ，４５ｂ，４５ｃを用いて蛍光回転体４１の複数の場所を照射することにより、大光量の照明光を得ることができる。
【００８３】
さらに、図１３乃至図１５の構成では、円錐形状の反射型蛍光回転体４１を使用しているので、例えば円錐の頂角を９０度（回転軸Ｘに対する傾き角は４５度）とし、固体光源４５ａ，４５ｂ，４５ｃの光軸と回転軸Ｘとのなす角度を９０度とする等、所定の関係にすれば、反射型蛍光回転体の回転軸Ｘ方向に主照射方向を有する（主照射方向Ａ２を回転軸Ｘ方向に一致させる）光源装置を実現することができる。これにより、余計な光学系を設ける必要なく、複数（いまの場合、３つ）の光の出射方向を統一できる。
【００８４】
以下、本発明の第２の実施形態の光源装置４０、５０をより詳細に説明する。
【００８５】
本発明の第２の実施形態の光源装置４０、５０において、固体光源４５、あるいは、４５ａ，４５ｂ，４５ｃとしては、いずれも同じ構成のものを用いることができる。すなわち、固体光源４５、あるいは、４５ａ，４５ｂ，４５ｃには、例えば、ＧａＮ系の材料を用いた発光波長が約４６０ｎｍの青色光を発光する発光ダイオードを用いることができる。なお、固体光源４５、あるいは、４５ａ，４５ｂ，４５ｃとしては、発光ダイオードに限らず、青色光を放出する光源であれば良く、半導体レーザー等を用いることもできる。
【００８６】
ここで、図１３乃至図１５の構成では、固体光源４５ａ，４５ｂ，４５ｃは、円錐形状の反射型蛍光回転体４１の回転軸Ｘを中心とする所定の円弧上で同じピッチ（等間隔）に配置されている。このような配置を採用することにより、できる限り同時に、円錐形状の反射型蛍光回転体４１の全ての色が発光している状態を作り出すことができる。
【００８７】
また、蛍光回転体４１には、青色の励起光により赤色および緑色に発光する２つの蛍光体領域（蛍光体層４２ａ，４２ｂ）と非蛍光体領域４２ｃとの各領域４２ａ，４２ｂ，４２ｃが、図１１、図１４に示すように配置されたものを使用できる。なお、変換効率が各色の蛍光体間で異なる場合は、前述した設計手法に従い蛍光体領域を設計することになる。また、非蛍光体領域には、前述した調整層が、青色光を一部吸収して青色光の透過率を調整する顔料により設けられている。非蛍光体領域に配置される調整層や蛍光体領域の塗り分けは、円錐形状のままで電着法を利用したり、円錐を展開した平板にそれぞれの蛍光体層パターンに対応する開口部（メタルメッシュ開口）を有するスクリーンを用いて印刷した後に組み立てて円錐形状にする方法などが利用できる。反射型蛍光回転体の基板としてはアルミなどの金属基板が使用可能であり、電着や印刷後の組み立て時にも有利である。なお、基板には石英ガラス基板のような透明体を使用することも可能であるが、その場合は反射面としてアルミなどの金属膜を蒸着などの方法で形成する必要がある。基板にアルミなどの金属基板を使用する場合は反射面は不要である。
【００８８】
また、蛍光体層４２ａ，４２ｂとしては、波長が約４４０ｎｍないし約４７０ｎｍの青色光により励起されるものとして、例えば、赤色蛍光体層４２ａには、ＣａＡｌＳｉＮ３：Ｅｕ２＋、Ｃａ２Ｓｉ５Ｎ８：Ｅｕ２＋、ＫＳｉＦ６：Ｍｎ４＋、ＫＴｉＦ６：Ｍｎ４＋等を用いることができ、緑色蛍光体層４２ｂには、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋等を用いることができる。
【００８９】
なお、本発明の第２の実施形態の上述した例では、３つの固体光源４５、あるいは、４５ａ，４５ｂ，４５ｃが、できる限り同時に、３つの領域（すなわち、全ての領域）４２ａ，４２ｂ，４２ｃを照射するようにしており、これにより、カラーブレイク現象を著しく低減できるが、本発明は、この構成に限定されず、種々の変形が可能である。例えば図１６に示すように、蛍光回転体上の３つの領域４２ａ，４２ｂ，４２ｃに対し、固体光源の個数が２であり、２つの固体光源４５ａ，４５ｂが、できる限り同時に、３つの領域４２ａ，４２ｂ，４２ｃのうちの２つの領域を照射するような場合も、本発明の範囲に含まれる。なお、この場合は、図１４に示す場合に比べれば劣るものの、カラーブレイク現象を低減できる。
【００９０】
また、上述の例では、蛍光回転体として、図１４や図１６に示すものを用いたが、第２の実施形態における円錐形状の反射型蛍光回転体としては、例えば１つの蛍光体領域と１つの非蛍光体領域との２つの領域で形成された反射型蛍光回転体を用い、固体光源として可視光（例えば、青色光）を出射する２つの固体光源を用いる構成も可能である。図１７は、このような光源装置の構成例を示す図である。なお、図１７において、図１３と同様の箇所には同じ符号を付している。図１７を参照すると、この光源装置８８は、可視光（例えば、青色光）を出射する２つの固体光源４５ａ，４５ｂと、回転軸Ｘの周りに回転可能な（モーター４によって回転する）蛍光回転体７２とを備えている。図１８は、図１７の光源装置８８に用いられる円錐形状の反射型蛍光回転体７２の一例を示す図（平面図）である（なお、図１８には、固体光源４５ａ，４５ｂの位置も図示されている）。図１８の例では、蛍光回転体７２は、基板上に、可視光（例えば、青色光）を照射すると黄色の蛍光をそれぞれ発光する蛍光体層７４が１つの蛍光体領域として配置され、蛍光体層が設けられていない領域７５が１つの非蛍光体領域として配置されている（すなわち、青色の励起光により黄色に発光する蛍光体層を有する黄色蛍光体領域７４と非蛍光体領域７５とが配置されている）。ここで、各領域７４、７５は、各領域７４、７５を区分する境界線７６ａ，７６ｂが曲線状で塗り分けられたものである。図１８では、２つの境界線７６ａ，７６ｂが曲線状になっているが、２つの境界線７６ａ，７６ｂのうちの片方の境界線のみが曲線状になっているものでもよい。
【００９１】
図１７、図１８の構成においても、図１０乃至図１２において説明したと同じ原理で、照明色を変化させることができる。すなわち、モーター４によって円錐形状の反射型蛍光回転体７２を回転させることで、青黄の２色の混色により白色光を得て、さらに白色光の色を変化させたい場合、蛍光回転体７２の蛍光体領域７４と非蛍光体領域７５とを区分する境界線７６ａ，７６ｂが曲線状となっていることから、円錐形状の反射型蛍光回転体７２と固体光源４５ａ，４５ｂとの位置関係を可変手段６によって可変にすることにより（蛍光回転体７２およびモーター４を、図１７上で上方向あるいは下方向に位置移動させることにより）、非蛍光体領域７５の照明時間と黄色蛍光体層７４の励起時間を変化させて、青味と黄味をコントロールすることができ、基準となる白色に対して、青味を増すように照明色を変化させたり、黄味を増すように照明色を変化させることが可能となる。
【００９２】
さらに、図１７、図１８の構成では、可視光（例えば青色光）を発光する固体光源４５ａ，４５ｂの色（いまの例では、青色）と、固体光源４５ａ，４５ｂにより励起され固体光源４５ａ，４５ｂの発光波長よりも長波長の蛍光色（黄色）との混色により、白色光を得るとき、青色光を出射する２つの固体光源４５ａ，４５ｂが、できる限り同時に、それぞれ異なる領域７４、７５を照射するように配置されているので、複数の光源で蛍光回転体の複数の場所を照射して大光量を得るときに、モーター音の増大などを生じさせるほど蛍光回転体の回転速度を早くすることなく、カラーブレイク現象を低減することができる。さらに、２つの固体光源４５ａ，４５ｂを用いて蛍光回転体７２の複数の場所を照射することにより、大光量の照明光を得ることができる。
【００９３】
さらに、図１７、図１８の構成では、円錐形状の反射型蛍光回転体７２を使用しているので、例えば円錐の頂角を９０度（回転軸Ｘに対する傾き角は４５度）とし、固体光源４５ａ，４５ｂの光軸と回転軸Ｘとのなす角度を９０度とする等、所定の関係にすれば、反射型蛍光回転体の回転軸Ｘ方向に主照射方向を有する（主照射方向Ａ２を回転軸Ｘ方向に一致させる）光源装置を実現することができる。これにより、余計な光学系を設ける必要なく、複数（いまの場合、２つ）の光の出射方向を統一できる。
【００９４】
より詳細に、図１７、図１８の光源装置８８において、固体光源４５ａ，４５ｂには、例えば、ＧａＮ系の材料を用いた発光波長が約４６０ｎｍの青色光を発光する発光ダイオードを用いることができる。なお、固体光源４５ａ，４５ｂとしては、発光ダイオードに限らず、青色光を放出する光源であれば良く、半導体レーザー等を用いることもできる。
【００９５】
また、黄色蛍光体層７４としては、波長が約４４０ｎｍないし約４７０ｎｍの青色光により励起されるものとして、例えば、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等の黄色蛍光体を用いることができる。
【００９６】
また、図１８の蛍光回転体の蛍光体領域７４の作製は、蛍光体領域のパターンに対応する開口部（メタルメッシュ開口）を有するスクリーンを用いた印刷法などが利用できる。なお、前記した蛍光体領域での励起光から蛍光への変換効率を考慮に入れた蛍光回転体の設計手法のうちの、蛍光回転体の回転軸を中心として回転軸と垂直な平面内である半径で描いた円弧上の各領域７４、７５に対応する円弧上の長さを調整する手法に従い、非蛍光体領域７５に対応する円弧上の長さを短くするなど各領域７４、７５の大きさが調整されている。塗り分けは円錐形状のままで電着法を利用したり、円錐を展開した平板に蛍光体領域のパターンに対応する開口部（メタルメッシュ開口）を有するスクリーンを用いて印刷した後に組み立てて円錐形状にする方法などが利用できる。反射型蛍光回転体の基板としてはアルミなどの金属基板が使用可能であり、電着や印刷後の組み立て時にも有利である。石英ガラス基板のような透明体を使用することも可能であるが、その場合は反射面としてアルミなどの金属を蒸着などの方法で形成する必要がある。アルミなどの金属基板を使用する場合は反射面の新たな形成は不要である。
【００９７】
なお、図１７、図１８の光源装置８８では、２つの固体光源４５ａ，４５ｂが用いられ、これにより、カラーブレイク現象を低減できるなどの効果を有するが、１つの固体光源４５だけしか設けられていない場合も、本発明の範囲に含まれる。
【００９８】
また、図１１、図１４の例では、赤色の蛍光体層４２ａの領域と非蛍光体領域４２ｃとを区分する境界線４３ｃだけが曲線状になっているが、本発明では、蛍光回転体４１の回転軸Ｘを中心としてある半径で蛍光回転体４１上に円弧を描くとき、各領域４２ａ，４２ｂ，４２ｃに対応する円弧上の長さの比率が前記半径に依存して変化するように、前記蛍光回転体４１は、各領域４２ａ，４２ｂ，４２ｃを区分する境界線４３ａ，４３ｂ，４３ｃの少なくとも１本が曲線状になっていればよく、図１１、図１４の例のように赤色の蛍光体層４２ａの領域と非蛍光体領域４２ｃとを区分する境界線４３ｃだけが曲線状になっている場合に限らず、蛍光回転体４１、６１の回転軸Ｘを中心としてある半径で蛍光回転体４１上に円弧を描くとき、各領域４２ａ，４２ｂ，４２ｃに対応する円弧上の長さの比率が前記半径に依存して変化するという条件を満たす限り、赤色と緑色の蛍光体層４２ａ，４２ｂの領域を区分する境界線４３ａや、緑色の蛍光体層４２ｂの領域と非蛍光体領域４２ｃとを区分する境界線４３ｂをも曲線状にすることも可能である。また、図１１、図１４の例では、蛍光回転体４１には、赤緑の２つの蛍光体領域４２ａ，４２ｂと１つの非蛍光体領域４２ｃが設けられている場合を示したが、例えば赤緑の蛍光体領域、非蛍光体領域がそれぞれ２つずつ、赤、緑、非蛍光体の順に繰り返し設けられている場合（６つの領域が設けられている場合）なども、本発明の範囲に含まれる。同様に、図１８の例においても、例えば黄色蛍光体領域、非蛍光体領域がそれぞれ２つずつ、黄、非蛍光体の順に繰り返し設けられている場合（４つの領域が設けられている場合）なども、本発明の範囲に含まれる。
【００９９】
また、上述した本発明の第１、第２の実施形態の各例では、１つの領域に対する光源の個数を１としたが、１つの領域について複数の光源を用いることも可能である。図１９、図２０は、図１７、図１８の構成例において、各領域に２つの光源を用いる場合を示す図である。すなわち、図１７、図１８の例では、１つの蛍光体領域７４および非蛍光体領域７５のそれぞれに２つの光源４５ａ，４６ａ、４５ｂ，４６ｂを用いている。このように、各領域のそれぞれに、複数の光源を設けることも可能である。すなわち、分割領域数と光源数とは、等しくなくてもよい。
【０１００】
図２１は第１、第２の実施形態で示した光源装置（１０、２０、４０、５０等）を用いた照明装置の一構成例を示す図である。図２１の照明装置は、照明装置外郭を形作るケース８２と、ケース８２内に格納された光源装置（１０、２０、４０、５０等）と、光源装置（１０、２０、４０、５０等）からの光を前方に所定の配光特性を持って照射するレンズ系８３とにより構成されている。
【０１０１】
また、図２２は第１、第２の実施形態で示した光源装置（１０、２０、４０、５０等）を用いた照明装置の他の構成例を示す図である。図２２の照明装置は、照明装置外郭を形作るケース８４と、ケース８４内に格納された光源装置（１０、２０、４０、５０等）と、光源装置（１０、２０、４０、５０等）からの光を前方に所定の配光特性を持って照射するズームレンズ系８５とにより構成されている。図２２の照明装置では、ズームレンズ系８５にすることによって配光を可変することができる。特に電動式のズームレンズ系を用いた時には遠隔操作によって配光を可変することができる。
【０１０２】
図２１や図２２のようにレンズ系を用いた時でも、本発明の光源装置を用いれば、照明色を変化させることの可能な照明装置を実現できる。
【産業上の利用可能性】
【０１０３】
本発明は、照明一般などに利用可能である。
【符号の説明】
【０１０４】
１、４１、７２          蛍光回転体
２ａ，２ｂ，２ｃ、４２ａ，４２ｂ、７４          蛍光体領域（蛍光体層）
３ａ，３ｂ，３ｃ、４３ａ，４３ｂ，４３ｃ          境界線
４２ｃ、７５          非蛍光体領域
４          モーター
５、５ａ，５ｂ，５ｃ、４５、４５ａ，４５ｂ，４５ｃ          固体光源
６          可変手段
１０、２０、４０、５０        光源装置
８２、８４        ケース
８３        レンズ系
８５        ズームレンズ系
【図１】
0005437129.tif 000002
【図２】
0005437129.tif 000003
【図３】
0005437129.tif 000004
【図４】
0005437129.tif 000005
【図５】
0005437129.tif 000006
【図６】
0005437129.tif 000007
【図７】
0005437129.tif 000008
【図８】
0005437129.tif 000009
【図９】
0005437129.tif 000010
【図１０】
0005437129.tif 000011
【図１１】
0005437129.tif 000012
【図１２】
0005437129.tif 000013
【図１３】
0005437129.tif 000014
【図１４】
0005437129.tif 000015
【図１５】
0005437129.tif 000016
【図１６】
0005437129.tif 000017
【図１７】
0005437129.tif 000018
【図１８】
0005437129.tif 000019
【図１９】
0005437129.tif 000020
【図２０】
0005437129.tif 000021
【図２１】
0005437129.tif 000022
【図２２】
0005437129.tif 000023